(57)【要約】【課題】  手摺り棒の端部を保護する保護カバーに衣服やバッグが引っ掛かったりすることがない。保護カバーを手摺り棒に取付けるための保護カバー取付け専用の固定ねじが必要でなく、保護カバーを支持ブラケットと手摺り棒とにがたつき無く容易に固定できる。支持ブラケットとして端部専用のものを必要とせず、また、形態の異なる他の種類の支持ブラケットにも取付けることができる。【解決手段】  手摺り棒１の端部を保護する保護カバー２を支持ブラケット３に保持固定する。【選択図】        図１
2007085108.tif 000002
【特許請求の範囲】
【請求項１】
手摺り棒の端部に保護カバーを被嵌し、該保護カバーを被嵌した手摺り棒の端部を保護カバーを介して支持ブラケットに固着具により固着して成ることを特徴とする手摺り端部の固定構造。
【請求項２】
手摺り棒の端部に被嵌する一端部が閉塞した筒状の保護カバーの周部に開口窓部を設けると共に開口窓部の周囲を被挟持部とし、支持ブラケットに手摺り棒の曲率に対応した曲率の手摺り棒取付け部を設け、該手摺り棒取付け部に被挟持部に対応する受け面部と、開口窓部に対向する位置に設けた固着具挿入孔とを設け、被挟持部を手摺り棒取付け部の受け面部に当てた状態で、固着具挿入孔から挿入した固着具が開口窓部を挿通して保護カバーが被嵌された手摺り棒に固着されることで手摺り棒と受け面部とにより被挟持部が挟持されるように構成して成ることを特徴とする請求項１記載の手摺り端部の固定構造。
【請求項３】
開口窓部の周囲の被挟持部の外面を保護カバーの外周面よりも凹ませて嵌め込み凹部を形成すると共に、保護カバーの周部の被挟持部の肉厚を他の部位よりも薄肉とし、受け面部を嵌め込み凹部に嵌め込んで成ることを特徴とする請求項２記載の手摺り端部の固定構造。
【発明の詳細な説明】
【技術分野】
【０００１】
本発明は、手摺り棒の端部を固定する技術に関するものである。
【背景技術】
【０００２】
従来から階段の壁や廊下の壁等の壁面、あるいは手摺り壁の上面に沿って手摺りを取付けることが行われている。手摺りは壁面や手摺り壁の上面に固定する支持ブラケットの先端部の手摺り棒取付け部に手摺り棒を固着具により固着して取付けることで構成してあり、手摺り棒の端部は最端部に位置する支持ブラケットよりも突出しており、この手摺り棒の端部の支持ブラケットよりも突出した部分には保護カバーを被嵌して手摺り棒の端部の保護を行っている。
【０００３】
ところが、このような従来例にあっては、保護カバーを被嵌した手摺り棒の端部が支持ブラケットから先端部が自由端状態となって突出しているため、支持ブラケットから突出した部分に衣服やバッグ等が引っ掛かり易いという問題がある。しかも、従来にあっては、保護カバーを手摺り棒の端部に固定するに当たって、保護カバー取付け専用の固定ねじを使用して取付けており、保護カバー取付け用の固定ねじが必要であり、しかも、固定ねじによる取付け作業が必要で、また、固定ねじが保護カバーの外面に露出するため、ねじ隠しカバーが必要となり、部材の形状が大きくなり、手摺り棒を手で掴んで歩行する際に手摺り棒の端部に大きな形状の保護カバーが存在するため手で掴み難いという問題がある。
【０００４】
そこで、支持ブラケットに保護カバー部を一体に設けた最端部専用の支持ブラケットを形成し、支持ブラケットに一体に設けた保護カバー部に手摺り棒の端部を嵌め込むものが特許文献１等により知られている。このような従来例にあっては、手摺り棒の端部が支持ブラケットから突出せず、衣服やバッグが手摺り棒の突出した端部に引っ掛かったりすることがないようにすることができるが、支持ブラケットとして手摺り棒の端部以外を支持固定するための支持ブラケットとは別に、保護カバー部を一体に設けた最端部専用の支持ブラケットを特別に用意する必要があり、部品点数が多くなるという問題がある。特に、手摺りの支持ブラケットとしては、壁面取付け用の支持ブラケット、あるいは、手摺り壁や腰壁等の上面に取付ける笠木用の支持ブラケット等種類の異なるものがあるが、上記のように、支持ブラケットに保護カバー部を一体に設けた最端部専用の支持ブラケットを形成する場合、最端部専用の支持ブラケットが、壁面取付け用、笠木用というように異なる形態毎にそれぞれ必要となり、この点でも部品点数が増えるという問題がある。
【特許文献１】特開平８−３４２４４号公報
【発明の開示】
【発明が解決しようとする課題】
【０００５】
本発明は上記の従来の問題点に鑑みて発明したものであって、手摺り棒の端部を保護する保護カバーに衣服やバッグが引っ掛かったりすることがなく、また、保護カバーを手摺り棒に取付けるための保護カバー取付け専用の固定ねじが必要でなく、保護カバーを支持ブラケットと手摺り棒とにがたつき無く容易に固定でき、更に、支持ブラケットとして端部専用のものを必要とせず、また、形態の異なる他の種類の支持ブラケットにも共通の保護カバーを用いて取付けることができる手摺り端部の固定構造を提供することを課題とするものである。
【課題を解決するための手段】
【０００６】
上記課題を解決するために本発明に係る手摺り端部の固定構造は、手摺り棒１の端部に保護カバー２を被嵌し、該保護カバー２を被嵌した手摺り棒１の端部を保護カバー２を介して支持ブラケット３に固着具９により固着して成ることを特徴とするものである。
【０００７】
このように手摺り棒１の端部を保護カバー２で保護した状態で、手摺り棒１の端部を保護カバー２を介して支持ブラケット３に固着するので、保護カバー２で保護された手摺り棒１の端部が支持ブラケット３から大きく突出しないものであって、保護カバー２で保護された手摺り棒１の端部に衣服やバッグ等が引っ掛かったりせず安全であり、また、保護カバー２を介して手摺り棒１の端部を支持ブラケット３に固着具９により固着するので、固着具９により支持ブラケット３に手摺り棒１の端部を固着するだけで、同時に保護カバー２を支持ブラケット３と手摺り棒１とに同時にがたつかないように取付けることができ、従来のように保護カバー２を手摺り棒１の端部に固定するための専用の固定ねじが必要でなく、また、手摺り棒１の端部に被嵌する保護カバー２と支持ブラケット３とが別部材であるため、最端部に位置する支持ブラケット３も他の位置で使用する支持ブラケット３と同じものが使用でき、従来のように最端部用の特別な支持ブラケットを必要とせず、また、壁面取付け用、笠木用、出隅用というように異なる形態毎にそれぞれ保護カバー２を兼用できる。
【０００８】
また、手摺り棒１の端部に被嵌する一端部が閉塞した筒状の保護カバー２の周部に開口窓部４を設けると共に開口窓部４の周囲を被挟持部５とし、支持ブラケット３に手摺り棒１の曲率に対応した曲率の手摺り棒取付け部６を設け、該手摺り棒取付け部６に被挟持部５に対応する受け面部７と、開口窓部４に対向する位置に設けた固着具挿入孔８とを設け、被挟持部５を手摺り棒取付け部６の受け面部７に当てた状態で、固着具挿入孔８から挿入した固着具９が開口窓部４を挿通して保護カバー２が被嵌された手摺り棒１に固着されることで手摺り棒１と受け面部７とにより被挟持部５が挟持されるように構成してあることが好ましい。
【０００９】
このような構成とすることで、保護カバー２を手摺り棒１の端部に被嵌した状態で支持ブラケット３の手摺り棒取付け部６に当接した状態で、固着具挿入孔８から挿入した固着具９を手摺り棒１に固着するだけで、支持ブラケット３に手摺り棒１の端部を直接固着することができると共に、固着具９による支持ブラケット３と手摺り棒１との固着により同時に保護カバー２が挟持されて保持固着されることになって、保護カバー２が支持ブラケット３、手摺り棒１の双方にがたつきなく確実に保持固着される。
【００１０】
また、開口窓部４の周囲の被挟持部５の外面を保護カバー２の外周面よりも凹ませて嵌め込み凹部１０を形成すると共に、保護カバー２の周部の被挟持部５の肉厚を他の部位よりも薄肉とし、受け面部７を嵌め込み凹部１０に嵌め込むことが好ましい。
【００１１】
最端部以外の箇所では支持ブラケット３の手摺り棒取付け部６に直接手摺り棒１の周面の一部を当てて固着具９により取付けるので、最端部において保護カバー２を介して手摺り棒１を支持ブラケット３に固着具９により取付けると、被挟持部５の厚みだけ壁面から手摺り棒１までの寸法が長くなり、このため、手摺り棒１が剛性を有する直棒の場合、手摺り棒１の端部を壁面から離れる方向に少し撓ませないと最端部の支持ブラケット３の壁面に取付けることができず、このため最端部の支持ブラケット３の隣に位置する支持ブラケット３が壁面に対して若干浮き気味になったりするが、上記のように被挟持部５の外面を保護カバー２の外周面よりも凹ませることで被挟持部５の厚みを薄くできて、壁面から剛性を有する直棒状の手摺り棒１までの寸法を最端部の支持ブラケット３による保持固着部分においても略同じにできて、端部を保護カバー２により保護した剛性の直棒状の手摺り棒１を最端部の支持ブラケット３による保持固着部分においても他の支持ブラケット３による手摺り棒取付け部固着と同じように壁面に取付けることができる。
【発明の効果】
【００１２】
本発明は、保護カバーを被嵌した手摺り棒の端部を保護カバーを介して支持ブラケットに固着具により固着するので、保護カバーで保護された手摺り棒の端部が支持ブラケットから突出せず、保護カバーで保護された手摺り棒の端部に衣服やバッグが引っ掛かったりせず安全であり、また、保護カバーを手摺り棒と支持ブラケットに保持固定できて、従来のように保護カバーを手摺り棒に固定ねじで固定しなくてもよくて部品点数が少なくなり、取付け工事を簡略化でき、また、手摺り棒の端部に被嵌する保護カバーと支持ブラケットとが別部材であるため、最端部に位置する支持ブラケットも他の位置で使用する支持ブラケットと同じものが使用でき、最端部用の特別な支持ブラケットを必要とせず、また、壁面取付け用、笠木用というように異なる形態が異なっても共通の保護カバーを使用でき、これらの理由により部品点数が少なくなる。
【発明を実施するための最良の形態】
【００１３】
以下、本発明を添付図面に示す実施形態に基いて説明する。
【００１４】
手摺り棒１の端部を保護する保護カバー２は図７に示すように、一端部が閉塞された有底筒状をしたもので、カバー主体２ａと、カバー副体２ｂとを組み合わせて構成してある。
【００１５】
カバー主体２ａはアルミニウムのダイキャストにより形成してあり、断面半円状をした半円状部１１の一端部に円板状をした底片部１２が一体に設けてあり、半円状部１１の周方向の両端部の外面部に係止部１３が設けてある。カバー副体２ｂは合成樹脂製で断面半円状をしている。半円状をしたカバー副体２ｂの周方向の両端部の内面部に被係止部１４が設けてある。上記カバー主体２ａの半円状部１１の周方向の両端部にカバー副体２ｂの周方向の両端部を合致させて係止部１３に被係止部１４を係止することで半円状部１１と半円状をしたカバー副体２ｂとで円筒部を構成すると共にこの円筒部の一端が円板状をした底片部１２により閉塞され、これにより一端部が閉塞された有底筒状の保護カバー２を構成する。
【００１６】
ここで、保護カバー２をカバー主体２ａと、カバー副体２ｂとの２部材を組み合わせて構成したのは以下の理由による。すなわち、一端部が閉塞された有底筒状の保護カバー２をダイキャストや射出成形により成形しようとすると、有底筒状の保護カバー２の円筒部の内部は型抜きのための抜き勾配を取る必要があり、このため、円筒部の内部の径は開口端部側程大きくなり、このようにして形成したものは手摺り棒１に被嵌した場合、円筒部の開口縁と手摺り棒１の外面との間に小隙間が発生してがたつくという問題があるが、上記のように円筒部を軸方向に２つ割りしたカバー主体２ａと、カバー副体２ｂとの２部材を組み合わせて構成すると、円筒部の内部の径は軸方向の各部で同じとなり、手摺り棒１に被嵌した場合、円筒部の開口縁と手摺り棒１の外面との間に小隙間が発生しない。
【００１７】
カバー主体２ａの半円状部１１の周方向の中間部には開口窓部４が設けてあり、開口窓部４の周囲が被挟持部５となっている。この開口窓部４の周囲の被挟持部５の外面は保護カバー２の外周面よりも凹ませてあって嵌め込み凹部１０となっており、このように被挟持部５の外面を保護カバー２の外周面よりも凹ませることで被挟持部５の肉厚を保護カバー２の他の部位の肉厚よりも薄肉としてある。
【００１８】
支持ブラケット３は、図１乃至図６に示すような手摺り壁の上面に取付けるための笠木用の支持ブラケット３Ａや、図９乃至図１０に示すような階段の壁や廊下等の壁の出隅部に取付ける出隅用の支持ブラケット３Ｂや、図１１乃至図１３に示すような壁用の支持ブラケット３Ｃ等がある。
【００１９】
上記いずれの形態の支持ブラケット３も、主体を構成するブラケット本体３ａと、ブラケットカバー３ｂと、ベース部材３ｃ、補強部材３ｄとで構成してある。
【００２０】
ブラケット本体３ａは、アルミニウムのダイキャストにより一体成形してあり、胴部１５の一端部が壁３０（階段の壁や廊下の壁等の壁面、あるいは手摺り壁の上面、あるいは壁の出隅部）に取付けるためのベース部１６となり、他端部が手摺り棒１を保持固定するための手摺り棒取付け部６となっている。また、実施形態ではブラケットカバー３ｂは合成樹脂製であり、ベース部材３ｃはアルミニウムのダイキャスト製であり、補強部材３ｄはステンレス製である。
【００２１】
胴部１５には側方に開口する凹所２７が設けてある。
【００２２】
ベース部１６は背面にベース部材３ｃを嵌め込むための凹没部１８が設けてある。ベース部１６には図４、図５、図６に示す実施形態、図１０に示す実施形態、図１２、図１３に示す実施形態のように複数個のねじ挿入孔１９と複数個の大径孔２０とが設けてある。凹没部１８に嵌め込まれるベース部材３ｃには上記複数個のねじ挿入孔１９に対応したねじ孔３１と、大径孔２０に嵌め込まれる嵌め込み突部２１が設けてあり、該嵌め込み突部２１に固着具挿通孔２２が設けてあり、ベース部材３ｃを凹没部１８に嵌め込むと共に嵌め込み突部２１を大径孔２０に嵌め込んだ状態でねじ挿入孔１９から挿入したねじ具２３をねじ孔３１に螺着してベース部材３ｃをブラケット本体３ａに固着してある。
【００２３】
ここで、補強部材３ｄは凹所２７内に配置されて胴部１５、ベース部１６、手摺り棒取付け部６に沿わせて取付けられるが、この補強部材３ｄの取付け部分においては、図４、図６に示す実施形態、図１０に示す実施形態、図１２、図１３に示す実施形態のように、補強部材３ｄの一端部に設けた孔３２からねじ具２３を挿入してねじ挿入孔１９を通してねじ孔３１に螺着することで、補強部材３ｄ、ベース部材３ｃ、ブラケット本体３ａを固着している。
【００２４】
手摺り棒取付け部６は手摺り棒１の曲率に対応した曲率の断面弧状をしており、この手摺り棒取付け部６の周囲部分又は手摺り棒取付け部６の略全面が受け面部７となっていて断面円状をした手摺り棒１の周方向の一部を受け面部７に当ててぴったりと受けることができるようになっている。手摺り棒取付け部６には手摺り棒１の軸方向と平行な方向に位置決め用突部２４が突設してある。
【００２５】
また、手摺り棒取付け部６には複数の固着具挿入孔８が設けてある。図４、図５、図６に示す実施形態では複数の固着具挿入孔８の１つが図４のように手摺り棒取付け部６の中心に設けてあってこの固着具挿入孔８が胴部１５中央部に設けた孔部１５ａに連通しており、該孔部１５ａの端部がベース部１６の中央部において開口し、他の固着具挿入孔８は図５のように凹所２７に開口している。また、図１０や図１２、図１３に示す実施形態においてはすべての固着具挿入孔８が凹所２７に開口している。
【００２６】
上記の構成の支持ブラケット３は、複数の支持ブラケット３を壁３０（手摺り壁の上面や、壁側面や、壁の出隅部）に所定間隔で取付けた後に、手摺り棒１を各支持ブラケット３の手摺り棒取付け部６に保持固着したり、あるいは、手摺り棒１に複数の支持ブラケット３を取付けた状態で、複数の支持ブラケット３を壁３０にそれぞれ固着したりすることで取付ける。
【００２７】
なお、笠木用の支持ブラケット３Ａにおけるブラケット本体３ａは図２に示すように、ベース部１６を壁３０（手摺り壁の上面）に取付けた状態で胴部１５が手摺り壁の上面に対して直角に突出するようになっている。また、出隅用の支持ブラケット３Ｂにおけるブラケット本体３ａは、図９に示すようにベース部１６を階段の壁や廊下等の壁３０の出隅部に配置した場合、出隅部に位置決めできるようにベース部１６の背面部が断面Ｌ字状をしていて該断面Ｌ字状をしたベース部１６の背面部を壁３０の出隅部の両面に当てることで、出隅部の正確な位置に確実に取付けることができるように構成してある。また、壁用の支持ブラケット３Ｃにおけるブラケット本体３ａは、図１１乃至図１３に示すように略Ｌ字状をしている。
【００２８】
壁３０への支持ブラケット３の取付けは、図４、図５、あるいは図１０、あるいは図１２、図１３に示すように、ベース部材３ｃに設けた固着具挿通孔２２から固着具２５を挿入して壁３０に固着するものである。つまり、本発明においては、ブラケット本体３ａは直接固着具２５で壁３０に取付けることなく、ブラケット本体３ａにねじ具２３で取付けたベース部材３ｃを固着具２５で壁３０に取付けることでブラケット本体３ａを間接的に取付けるようになっており、これにより、ブラケット本体３ａが破損した場合などねじ具２３を外すことで壁３０にベース部材３ｃを残したままブラケット本体３ａを取外すことができ、交換して取付ける場合はねじ具２３を用いてベース部材３ｃに取付けることで、固着具２５を取外す必要がない。
【００２９】
手摺り棒１は外面に長手方向にわたって位置決め用凹部２６が設けてあり、この手摺り棒１の端部に前述の図７に示すような保護カバー２を被嵌する。保護カバー２を手摺り棒１の端部に被嵌した状態で手摺り棒１の手摺り棒取付け部６に近づけ、手摺り棒取付け部６に突設した位置決め用突部２４を開口窓部４内に挿入して位置決め用凹部２６に嵌め込むと共に、この状態で手摺り棒１に対して保護カバー２を周方向に少し回して嵌め込み凹部１０に手摺り棒取付け部６の受け面部７を嵌め込んで被挟持部５に受け面部７を当接する。
【００３０】
このように手摺り棒１と支持ブラケット３の手摺り棒取付け部６との位置決め及び手摺り棒１の端部に嵌め込んだ保護カバー２と支持ブラケット３との位置決めを行った状態で、複数の固着具挿入孔８からそれぞれ固着具９を挿入して手摺り棒１に固着することで、手摺り棒１の周方向の所定位置に手摺り棒取付け部６を取付けることができる。上記のように固着具９を固着すると、保護カバー２の開口窓部４の周囲の被挟持部５が手摺り棒１と受け面部７とにより挟持され、保護カバー２が手摺り棒１と支持ブラケット３とに保持固定されることになる。なお、手摺り棒１の端部に被嵌する保護カバー２は笠木用の支持ブラケット３Ａ、出隅用の支持ブラケット３Ｂ、壁面用の支持ブラケット３Ｃのいずれに取付ける場合も同じ（形状及び大きさが同じ）保護カバー２を共用して使用するようになっており、これにより部品の種類を少なくできる。
【００３１】
ここで、補強部材３ｄの取付け部分においては補強部材３ｄの他端部に設けた孔２９から固着具９を挿入して固着具挿入孔８を通して手摺り棒１に固着するものであり、これにより、手摺り棒１はブラケット本体３ａと、補強部材３ｄとに固着具９で固着されることになり、また、補強部材３ｄは既に述べたようにねじ具２３によりベース部材３ｃに固着し、ベース部材３ｃを壁３０に固着してあるので、アルミダイキャスト製のブラケット本体３ａが仮に外力により破損してもステンレス製の補強部材３ｄ、ベース部材３ｃを介して手摺り棒１が壁３０に固定してあることで、壁３０から手摺り棒１が外れないようにできる。
【００３２】
ブラケット本体３ａの凹所２７の開口部にブラケットカバー３ｂを着脱自在に取付けて凹所２７を覆い隠す。
【００３３】
一方、手摺り棒１の端部以外の部位では手摺り棒１の周部の一部に支持ブラケット３の手摺り棒取付け部６を直接当てて位置決め用突部２４を位置決め用凹部２６に嵌め込んで手摺り棒１と支持ブラケット３との位置決めをした状態で複数の固着具挿入孔８からそれぞれ固着具９を挿入して手摺り棒１と支持ブラケット３とを固着する。該手摺り棒１の端部以外の部分と固着する支持ブラケット３の壁３０への取付けは前述の通りである。
【００３４】
ここで、支持ブラケット３として笠木用の支持ブラケット３Ａを用いて手摺り棒１を手摺り壁の上面に取付ける場合、手摺り棒１の端部及び端部以外の部位のいずれにおいても同じ笠木用の支持ブラケット３Ａを用いて取付けるものである。
【００３５】
また、支持ブラケット３として壁面用の支持ブラケット３Ｃを用いて手摺り棒１を手摺り壁の上面に取付ける場合、手摺り棒１の端部及び端部以外の部位のいずれにおいても同じ壁面用の支持ブラケット３Ｃを用いて取付けるものである。
【００３６】
なお、支持ブラケット３が出隅用の支持ブラケット３Ｂの場合、手摺り棒１を壁３０の出隅部に縦に取付けるので、手摺り棒１の上下両端部に保護カバー２を被嵌した状態で保護カバー２を介して手摺り棒１の上下両端部をそれぞれ出隅用の支持ブラケット３Ｂに固定し、手摺り棒１の端部以外の部位では出隅用の支持ブラケット３Ｂを取付けないが、手摺り棒１が上下に長くて端部以外の部位に出隅用の支持ブラケット３Ｂを取付ける場合は、同じ出隅用の支持ブラケット３Ｂを使用する。
【００３７】
これにより端部専用の笠木用の支持ブラケット３Ａ、端部専用の出隅用の支持ブラケット３Ｂ、端部専用の壁面用の支持ブラケット３Ｃが必要でない。
【００３８】
ところで、本発明において、手摺り棒１の端部においては、上記のように、保護カバー２の周壁部の一部である被挟持部５が手摺り棒１と支持ブラケット３との間に介在されて取付けられるので、この保護カバー２を被嵌した手摺り棒１の端部を支持ブラケット３に取付けると、最端部以外の箇所で支持ブラケット３の手摺り棒取付け部６に直接手摺り棒１の周面の一部を当てて固着具９で固着する場合に比べ、被挟持部５の肉厚分だけ壁面のような壁３０から手摺り棒１までの寸法が長くなるが、本発明においては、被挟持部５の外面を保護カバー２の外周面よりも凹ませて被挟持部５の厚みを薄くしているので、壁３０から手摺り棒１までの寸法を最端部の支持ブラケット３による保持固着部分においても略同じにできて、端部を保護カバー２により保護した剛性の直棒状の手摺り棒１を最端部の支持ブラケット３による保持固着部分においても他の支持ブラケット３による手摺り棒取付け部固着と同じように壁面に取付けることができる。
【００３９】
なお、本発明において、保護カバーに開口窓部４を設けた例を示したが、開口窓部に代えて固着具挿入孔８と対向する位置に固着具９を挿通するための孔を設けてもよい。
【図面の簡単な説明】
【００４０】
【図１】本発明の一実施形態の分解斜視図である。
【図２】同上の斜視図である。
【図３】同上の正面図である。
【図４】同上の保護カバーを被嵌した手摺り棒の端部の支持ブラケットへの取付け部分の断面図である。
【図５】同上の支持部ラケットの壁への固定部分の断面図である。
【図６】同上の手摺り棒の端部以外の部分の支持ブラケットへの取付け部分の断面図である。
【図７】同上に用いる保護カバーを示し、（ａ）は斜視図であり、（ｂ）は分解斜視図である。
【図８】本発明の他の実施形態の分解斜視図である。
【図９】同上の斜視図である。
【図１０】同上の取付け状態の断面図である。
【図１１】本発明の他の実施形態の斜視図である。
【図１２】同上の保護カバーを被嵌した手摺り棒の端部の支持ブラケットへの取付け部分の断面図である。
【図１３】同上の手摺り棒の端部以外の部分の支持ブラケットへの取付け部分の断面図である。
【符号の説明】
【００４１】
１  手摺り棒
２  保護カバー
３  支持ブラケット
４  開口窓部
５  被挟持部
６  手摺り棒取付け部
７  受け面部
８  固着具挿入孔
９  固着具
１０  嵌め込み凹部
【図１】
2007085108.tif 000003
【図２】
2007085108.tif 000004
【図３】
2007085108.tif 000005
【図４】
2007085108.tif 000006
【図５】
2007085108.tif 000007
【図６】
2007085108.tif 000008
【図７】
2007085108.tif 000009
【図８】
2007085108.tif 000010
【図９】
2007085108.tif 000011
【図１０】
2007085108.tif 000012
【図１１】
2007085108.tif 000013
【図１２】
2007085108.tif 000014
【図１３】
2007085108.tif 000015